(57)【要約】【課題】ガソリンの給油量などの売上高に応じて割引率を大きくする場合、その値引きを次回に適応することを可能とする。【解決手段】カード２０を利用して給油機１０のような売上精算機単体で、値引き設定テーブル１９に給油量または売上額に応じた値引き額を設定し、給油機１０で売上精算の際、売上情報と共に売上量に応じて設定された値引き額をカード２０に今回値引き額として記録する。この際、適用するカード２０に前回記録された値引き額がある場合にはその売上精算額からこの値引き額を差し引くことにより、記録された値引き額を次回の売上げに適用することができる。【選択図】図１
2006293806.tif 000002
【特許請求の範囲】
【請求項１】
売上精算機と該売上精算機で精算するメモリカードとを有し、前記売上精算機は、売上精算額に応じた値引き額を予め設定し、売上精算の際、売上情報と共に売上精算額に応じて前記予め設定された値引き額を前記メモリカードに今回値引き額として記録することを特徴とする売上精算額設定システム。
【請求項２】
請求項１に記載の売上精算額設定システムにおいて、前記売上精算機は、売上精算の際、前記メモリカードに予め値引き額が記録されていた場合には今回の売上額からその値引き額を差し引いて売上精算し、その値引き額を前記今回値引き額に更新することを特徴とする売上精算額設定システム。
【請求項３】
請求項２に記載の売上精算額設定システムにおいて、前記今回値引き額は、今回の売上額から前回に記録された値引き額を差し引いた売上金額に対して設定された額とすることを特徴とする売上精算額設定システム。
【請求項４】
請求項１に記載の売上精算額設定システムにおいて、前記値引き額は、商品ごとの単価に対してそれぞれに設定されることを特徴とする売上精算額設定システム。
【請求項５】
請求項１に記載の売上精算額設定システムにおいて、前記売上精算機は、前記値引き額を予め設定可能なキー入力部を有することを特徴とする売上精算額設定システム。
【請求項６】
請求項１から請求項５までの一つに記載された売上精算額設定システムにおいて、前記売上精算機は、サービスステーションの給油機に搭載されていることを特徴とする売上精算額設定システム。
【請求項７】
請求項６に記載の売上精算額設定システムにおいて、前記値引き額は、給油量に応じて予め設定されることを特徴とする売上精算額設定システム。
【発明の詳細な説明】
【技術分野】
【０００１】
本発明は、売上金額を値引きする売上精算額設定システムに関し、例えば、給油量または売上金額に応じて給油単価を容易に変更できる売上精算額設定システムに関するものである。
【背景技術】
【０００２】
従来の売上精算額設定システムには、例えば、特開昭６０−２３１９５号公報（特許文献１）に開示される給油金額演算装置がある。この装置では、実際の給油量が所定値を越えた場合に限り給油単価を値引きするものである。
【０００３】
これについて図３を参照して説明する。
【０００４】
給油機１００では、単価テーブル１１４に給油単価、割引単価テーブル１１５に割引単価、更に、切替設定テーブル１１６に上記給油単価を上記割引単価に切り替える給油量それぞれが予め記録設定されている。
【０００５】
給油量計測通知部１１１から給油量の通知を受けた売上演算部１１８は、プログラムに基づいて、まず、切替設定テーブル１１６に設定された切替給油量を読取る。次いで、売上演算部１１８は、通知された給油量が切替設定テーブル１１６に設定されている給油量に未達の場合、単価テーブル１１４に設定された給油単価を用いて給油売上金額を演算する。通知された給油量が切替設定テーブル１１６に設定されている給油量に達している場合には、割引単価テーブル１１５に設定された割引単価を用いて給油売上金額が演算される。
【０００６】
しかし、他店舗より大きな割引率で顧客を呼び込む場合、薄利多売が必要なため多量な販売を必要とする。従って、給油量に応じて割引率を大きくする一方、その値引きは次回に適応することがよい。
【０００７】
このためには、この割引情報を次回に提示させる必要がある。
【０００８】
例えば、特開平７−１２１７７２号公報（特許文献２）に開示されるように、前回精算時に発行されたクーポンを割引券として提示させることにより、その実現が可能である。しかし、クーポンの紛失、販売店員の手動操作による誤入力等で顧客からの信頼が得られない恐れがある。
【０００９】
この問題の解決策として、例えば、ＩＣ（集積回路）によるメモリカードの使用が普及している。メモリカードの使用には、ＰＯＳ（販売時点管理用）端末機などの情報処理端末が必要である。ＰＯＳ端末機では、ホストコンピュータが顧客情報を集中管理してグループ内の何れの端末機でもそのメモリカードを利用できるメリットがある。
【００１０】
【特許文献１】特開昭６０−２３１９５号公報
【特許文献２】特開平７−１２１７７２号公報
【発明の開示】
【発明が解決しようとする課題】
【００１１】
解決しようとする課題は、給油量などの売上高に応じて割引率を大きくする場合、その値引きを次回に適応することができないことである。
【００１２】
このためには、この割引情報を次回に提示させる必要があるが、クーポンを利用する場合、クーポンの紛失、販売従業員の手動操作による誤入力等で顧客からの信頼が得られない恐れがある。
【００１３】
また、メモリカードによりＰＯＳ端末機を利用する場合、複数のサービスステーションで同一サービスを受ける場合、ＰＯＳ端末機をホストコンピュータとネットワークを組むなどのシステム化が必要で、給油機単体で処理していないことである。
【課題を解決するための手段】
【００１４】
本発明は、メモリカードを利用して給油機のような売上精算機単体でも、給油量または売上額に応じて割引率を大きくする場合にその値引きを次回に適応することを可能とするため、売上精算機に給油量または売上量に応じた値引き額を予め設定し、売上精算機で売上精算の際、売上情報と共に売上量に応じて予め設定された値引き額をメモリカードに今回値引き額として記録することを主要な特徴とする。すなわち、売上精算の際、適用するメモリカードに前回記録された値引き額がある場合にはその売上精算にこの値引き額を加味することができる。
【００１５】
この値引き額は、売上総額に対応しても、または商品ごとの単価に対してそれぞれ設定されてもよい。また、複数の売上精算機に対して同一の値引き額を設定することが好ましいが、売上精算機に前記値引き額を予め設定可能なキー入力部を有し、店舗を指定して値引きする融通性を持たせることもできる。
【発明の効果】
【００１６】
本発明の売上精算額設定システムは、売上精算の際に売上量に応じた値引き額がメモリカードに記録されるので、次回の精算の際に売上高からカードの値引き額を差し引く処理ができる。従って、今回大幅値引きを受けた顧客は、次回に同一店舗に足を運ぶよう意識するので、販売促進に効果がある。
【００１７】
また、系列グループで同一値引き額設定の売上精算機が備えられた場合、何れの売上精算機を使用しても、すなわち前回売上げの店舗以外でも、顧客は同様のサービスを受けることができる。
【発明を実施するための最良の形態】
【００１８】
売上精算の際に売上量に応じた値引き額がメモリカードに記録されるので、次回の精算の際に売上高からその値引き額を差し引く処理が可能になるという目的を、売上精算機で売上精算の際、売上情報と共に、売上量に応じて予め設定された値引き額をメモリカードに記録することにより実現した。そして、次回の売上精算の際には、適用するメモリカードに前回記録された値引き額がある場合にその売上精算額からこの値引き額を差し引くことができる。
【実施例１】
【００１９】
本発明の実施例１について図１及び図２を参照して説明する。図面では、本発明に係る部分を主に示し、機能動作上必須の構成要素でも図面で省略されているものがある。
【００２０】
図１は、本発明の売上精算額設定システムとしてサービスステーションの給油所における機能ブロックの実施の一形態を示す説明図である。図１には、給油所の給油機１０と、この給油機１０に装着されるＩＣのメモリカード（以後、カードと略称する）２０とが示されている。
【００２１】
給油機１０には、給油量計測通知部１１、カード装着読取り部１２、画面表示部１３、カード書込み部１４、単価テーブル１５、キー入力部１６、売上伝票出力部１７、売上演算部１８、及び値引き設定テーブル１９が含まれる。
【００２２】
給油量計測通知部１１は給油量を計測して給油種別と共に売上演算部１８に逐一通知する。カード装着読取り部１２は、カード２０の装着を検知した際に装着されたカード２０に記録された情報を読み取って売上演算部１８に送る。画面表示部１３は、売上演算部１８で処理した結果を画面表示する。カード書込み部１４は、キー入力部１６の操作指示により売上演算部１８で処理された結果を含む所定の売上データを受けて、装着中のカード２０に書込みする。
【００２３】
単価テーブル１５には、各商品の単価が予め登録されている。商品には、高オクタン価ガソリン、低オクタン価ガソリン、軽油、灯油など、並びに給油所売店の商品及びサービス料も含まれる。キー入力部１６は、給油の終了により販売従業員の単純操作で売上データの演算を開始させる。また、キー入力部１６から、テーブルデータの変更の場合、商品名、価格等の入力または削除ができる。
【００２４】
売上伝票出力部１７は、キー入力部１６の操作指示により売上演算部１８で処理された所定の売上データを受けて、装着される伝票に印字し、売上伝票を作成し出力する。
【００２５】
売上演算部１８は、ＣＰＵ、一時メモリ、及びプログラムメモリを有し、給油量計測通知部１１、カード装着読取り部１２、画面表示部１３、カード書込み部１４、単価テーブル１５、キー入力部１６、売上伝票出力部１７、及び値引き設定テーブル１９を用いて売上演算するもので、その主要手順は図２を参照して後に説明する。
【００２６】
値引き設定テーブル１９には、ガソリンの総売上金額に対し次回のリッター当りの値引き額が予め設定されているものとする。例えば、図１では、売上金額５０００円以上でリッター当り１円、また１万円以上でリッター当り２円が、次回に値引きされることを示している。通常、売価に対する各商品の利幅が異なるので、ガソリンなどでは軽油、灯油などそれぞれのリッター当りの値引き額、更に、他の小物商品それぞれの単価に対する値引き額が設定されてよい。また、ガソリンに限定せず、総売上額に対する値引率が設定されてもよい。更に、店舗限定の設定をすることもできる。これらの設定はキー入力部１６から実行される。
【００２７】
次に、図２のフローチャートに図１を併せ参照して売上演算部１８の主要動作手順について説明する。
【００２８】
まず、売上演算部１８は、カード装着読取り部１２からカード２０の装着検出通知を受付けすると続いてカード２０の記録データを受け取るのでこれを一時メモリに記録（手順Ｓ１）して画面表示部１３に画面表示（手順Ｓ２）する。
【００２９】
次いで、売上演算部１８は、給油量計測通知部１１から給油量の通知を受けるので単価テーブル１５を参照して売上金額を逐次演算（手順Ｓ３）する。
【００３０】
一方、売上演算部１８は、カード２０の記録データから値引き情報検出（手順Ｓ４がＹＥＳ）の場合、売上金額演算結果から値引き情報に記録された値引き額分だけ減算して記録（手順Ｓ５）した後、値引き情報を消去（手順Ｓ６）する。
【００３１】
次いで、売上演算部１８は、値引き設定テーブル１９に問合せ（手順Ｓ７）して、演算された売上金額が値引き対象の、例えば５０００円超（手順Ｓ８がＹＥＳ）の場合、次回の値引き額「リッター当り１円」を値引き情報として記録（手順Ｓ９）する。この値引き情報を含み、記録された売上データは画面表示部１３に画面表示（手順Ｓ１０）される。
【００３２】
給油が終了し、画面表示が終了した際に、販売従業員の精算キーの操作により精算要求がキー入力部１６から入力されるので、売上演算部１８は、この精算要求の受付け（手順Ｓ１１のＹＥＳ）により、一時メモリされ画面表示されている売上データをカード書込み部１４に送ってカード２０に書込み（手順Ｓ１２）させる。他方で、売上演算部１８は、売上データを売上伝票出力部１７に送って売上伝票に印字記録させ出力（手順Ｓ１３）させる。
【００３３】
上記手順Ｓ４が「ＮＯ」で値引き情報のない場合には、手順は上記手順Ｓ７に進み、上記手順Ｓ８が「ＮＯ」で値引き対象でない、例えば５０００円未満の場合には、手順は上記手順Ｓ１０に進む。
【００３４】
上記手順は一例であり、上述した機能を満たす限り、順序が前後してもよいことは勿論である。
【００３５】
上記説明では、値引き設定テーブルにガソリンの売上金額に対し次回のリッター当りの値引き額が予め設定されているものとした。しかし実際には、例えば、同一車種であればガソリンのオクタン価は不変の筈であるが、低オクタン価ガソリン車に対して高オクタン価ガソリンで給油、またはこの逆の場合もあり得るので、通常は給油の種別ごとの値引き額が設定されるであろう。更に、給油以外の商品も対象にして全体の売上高に対応した割引率が設定されてもよい。
【００３６】
このような構成を採用したので、これと同一設定された給油機を有するサービスステーションでは同一カードで同様の値引きサービスを受けることができる。すなわち、ホストコンピュータなしの場合でも給油機単体で同一機能を有するので、場所を移動しても、顧客に対して上述同様の値引きサービスが可能である。
【００３７】
上記説明では商品をガソリンに限定しているが、単価テーブル、値引き設定テーブルなどの設定を商品名、更にその細目にわたるなどとすることにより、木目細かく対応できる。更に、店舗ごとの値引きが設定されてもよいことは勿論である。
【００３８】
［その他の実施例］
本発明の他の実施例として、ガソリンスタンドと呼ばれるサービスステーション以外、上記給油機に替わり各販売店舗のレジスタのような売上精算機に同様な機能を付与させることができる。その結果、各商品ごとの売上高とその値引率または値引き額とを予め設定し次回の値引きサービスに適用させることができる。
【産業上の利用可能性】
【００３９】
給油所に限定されることなく、各販売店舗の売上精算機で、今回の売上量または売上高に応じた、次回での値引き率または値引き額を予め設定した値引き設定テーブルを用いてメモリカードに次回での値引き情報を書き込むことが容易にできる。一方、この値引き情報は売上精算機で容易に読取りできるので、次回での売上演算における簡単な値引き処理を必要かつ不可欠とする販売促進に効果的に適用できる。
【図面の簡単な説明】
【００４０】
【図１】本発明の売上精算額設定システムにおけるブロックの実施の一形態を示した説明図である。（実施例１）
【図２】図１における主要動作手順をフローチャートで示した説明図である。（実施例１）
【図３】従来の売上精算額設定システムにおけるブロックの一例を示した説明図である。
【符号の説明】
【００４１】
１０    給油機
１１    給油量計測通知部
１２    カード装着読取り部
１３    画面表示部
１４    カード書込み部
１５    単価テーブル
１６    キー入力部
１７    売上伝票出力部
１８    売上演算部
１９    値引き設定テーブル
２０    メモリカード（カード）
【図１】
2006293806.tif 000003
【図２】
2006293806.tif 000004
【図３】
2006293806.tif 000005